【手続補正書】
【提出日】平成19年11月16日(2007.11.16)
【手続補正１】
【補正対象書類名】明細書
【補正対象項目名】特許請求の範囲
【補正方法】変更
【補正の内容】
【特許請求の範囲】
【請求項１】 第１および第２の受信機を有する移動通信装置を使用する方法であって、前記方法は、
前記第１および第２の受信機をスリープ・モードとするステップと、
第１の受信機を目覚めさせるステップと、
前記第１の受信機により制御チャネル上の信号を表わす電磁波を受信するステップと、
第１の受信機により受信された前記電磁波の信号品質を測定して第１の信号品質指標を求めるステップと、
前記第１の受信機により受信された電磁波の第１の信号品質指標が予め定められた信号品質基準を満たさない場合には、第２の受信機を目覚めさせて第２の受信機により制御チャネル上の電磁波を受信するステップと、
を含む方法。 
【請求項２】 請求項１記載の方法であって、さらに、前記第２の受信機により受信された電磁波の信号品質を測定して第２の信号品質指標を求め、第２の受信機により受信された電磁波の第２の信号品質指標が前記予め定められた信号品質基準を満たす場合には、第１の受信機を前記スリープ・モードとするステップを含む方法。
【請求項３】 請求項１記載の方法であって、さらに、前記第２の受信機により受信された電磁波の信号品質を測定して第２の信号品質指標を求め、第２の受信機により受信された電磁波の第２の信号品質指標が前記予め定められた信号品質基準を満たさない場合には、前記第１および第２の両方の受信機を使用して制御チャネル上の電磁波を受信するステップを含む方法。
【請求項４】 請求項３記載の方法であって、さらに、前記第１の受信機により受信された電磁波に対応する信号および前記第２の受信機により受信された電磁波に対応する信号をダイバーシチ合成技術を使用して合成するステップを含む方法。
【請求項５】 請求項４記載の方法であって、前記ダイバーシチ合成技術は、同一利得合成（ＥＧＣ）を含む方法。 
【請求項６】 請求項４記載の方法であって、前記ダイバーシチ合成技術は、最大比合成（ＭＲＣ）を含む方法。 
【請求項７】 請求項４記載の方法であって、前記ダイバーシチ合成技術は、干渉拒絶合成（ＩＲＣ）を含む方法。 
【請求項８】 請求項４記載の方法であって、前記第１の受信機により受信された電磁波に対応する信号および前記第２の受信機により受信された電磁波に対応する信号をダイバーシチ合成技術を使用して合成するステップは、前記第１の信号品質指標および前記第２の信号品質指標が前記予め定められた信号品質基準を満たさない場合に複数のダイバーシチ合成技術を使用することを含む方法。
【請求項９】 請求項４記載の方法であって、さらに、第１および第２の品質指標の少なくとも一方が前記予め定められた信号品質基準を少なくとも満たす場合に複数のダイバーシチ合成技術を使用して消費電力を低減するステップを含む方法。
【請求項１０】 請求項１記載の方法であって、前記信号は、制御情報を含み、さらに前記制御情報を受信した後で前記第１および第２の受信機を前記スリープ・モードに戻すステップを含む方法。
【請求項１１】 第１および第２の受信機を有する移動通信装置の動作方法であって、前記移動通信装置は、少なくとも２つの動作モード、単一受信機動作モードおよび二重受信機ダイバーシチ動作モードを有し、前記方法は、
移動通信装置がスリープ・モードである時に前記第１および第２の受信機を非活性化するステップと、
前記スリープ・モードに入る前に前記少なくとも２つの動作モードの一方のうち最後に使用した動作モードを前記移動通信装置に格納するステップと、
前記最後に使用した動作モードを初期動作モードとして選択し、前記移動通信装置を周期的に活性化して制御チャネル上の信号を表わす電磁波を受信するステップと、
前記移動通信装置により前記電磁波を受信するステップと、
前記制御チャネルの信号品質を測定して信号品質指標を求めるステップと、
信号品質指標に基づいて前記初期動作モードを第２の動作モードに変えるステップと、
を含む方法。 
【請求項１２】 請求項１１記載の方法であって、信号品質指標が予め定められた信号品質基準を満たさない場合には、前記初期動作モードは、前記単一受信機モードから前記二重受信機ダイバーシチ・モードに変えられる方法。
【請求項１３】 請求項１２記載の方法であって、信号品質指標が前記予め定められた信号品質基準を満たす場合には、前記初期動作モードは、前記二重受信機ダイバーシチ・モードから前記単一受信機モードに変えられる方法。
【請求項１４】 請求項１１記載の方法であって、前記第１および第２の受信機の一方は、一次受信機として指定され、第１および第２の受信機の他方は、二次受信機として指定される方法。
【請求項１５】 請求項１４記載の方法であって、一次受信機は、前記単一受信機モードが選択される時に活性化される方法。
【請求項１６】 請求項１５記載の方法であって、二次受信機は、一次受信機により受信された電磁波の前記信号品質指標が予め定められた信号品質基準を満たさない場合に活性化される方法。
【請求項１７】 請求項１５記載の方法であって、一次受信機は、二次受信機により受信された電磁波の前記信号品質指標が前記予め定められた信号品質基準を満たす場合に非活性化される方法。
【請求項１８】 請求項１７記載の方法であって、さらに、一次および二次受信機の指定を変えるステップを含む方法。
【請求項１９】 請求項１１記載の方法であって、さらに、前記制御チャネル上で受信した制御情報を処理した後で前記第１および第２の受信機を前記スリープ・モードに戻すステップを含む方法。
【請求項２０】 一次受信機および二次受信機を有する移動通信装置の電力保持方法であって、前記方法は、
前記一次および二次受信機の両方を目覚めさせるステップと、
前記移動通信装置を二重受信機ダイバーシチ・モードで作動させ、前記一次および二次受信機の両方を使用して制御チャネルを有する電磁波を受信するステップと、
前記一次および二次受信機の一方により受信された前記電磁波の前記制御チャネルの信号品質を表わす第１の信号品質指標が予め定められた信号品質基準を満たす場合には、前記一次および二次受信機の他方を非活性化して単一受信機モードで作動するステップと、
制御チャネルを処理するステップと、
制御チャネルの処理が完了した後で前記移動通信装置をスリープ・モードに戻すステップと、
を含む方法。 
【請求項２１】 請求項２０記載の方法であって、さらに、前記一次および二次受信機の一方により受信された前記電磁波の前記制御チャネルを表わす前記第１の信号品質指標および前記一次および二次受信機の他方により受信された前記電磁波の前記制御チャネルの第２の信号品質指標が前記予め定められた信号品質基準を満たさない場合には、前記一次および二次受信機の両方で制御チャネルを受信して前記二重受信機ダイバーシチ・モードで作動するステップを含む方法。
【請求項２２】 請求項２１記載の方法であって、さらに、前記第１の受信機により受信された前記電磁波に対応する前記制御チャネルおよび前記第２の受信機により受信された前記電磁波に対応する前記制御チャネルをダイバーシチ合成技術を使用して合成するステップを含む方法。
【請求項２３】 請求項２２記載の方法であって、前記ダイバーシチ合成技術は、同一利得合成（ＥＧＣ）を含む方法。
【請求項２４】 請求項２２記載の方法であって、前記ダイバーシチ合成技術は、最大比合成（ＭＲＣ）を含む方法。
【請求項２５】 請求項２２記載の方法であって、前記ダイバーシチ合成技術は、干渉拒絶合成（ＩＲＣ）を含む方法。
【請求項２６】 請求項２２記載の方法であって、前記第１の受信機により受信された前記電磁波に対応する前記制御チャネルおよび前記第２の受信機により受信された前記電磁波に対応する前記制御チャネルをダイバーシチ合成技術を使用して合成するステップは、前記第１の信号品質指標および前記第２の信号品質指標が前記予め定められた信号品質基準を満たさない場合に複数のダイバーシチ合成技術を使用するステップを含む方法。
【請求項２７】 請求項２０記載の方法であって、さらに、前記一次および二次受信機の指定を変えるステップを含む方法。
【請求項２８】 移動端末であって、
基地局から送信された信号を受信して受信信号を出力する第１および第２の受信機と、
前記受信信号の品質を示すパラメータに基づいて前記第１および第２の受信機を選択的に眠らせたり目覚めさせたりする制御論理と、
を含む移動端末。 
【請求項２９】 請求項２８記載の移動端末であって、前記制御論理は、前記第１の受信機により出力された前記受信信号の前記パラメータが予め定められた信号品質基準を満たす場合に前記第２の受信機を眠らせる移動端末。
【請求項３０】 請求項２８記載の移動端末であって、前記制御論理は、前記第２の受信機により出力された前記受信信号の前記パラメータが予め定められた信号品質基準を満たす場合に前記第１の受信機を眠らせる移動端末。
【請求項３１】 請求項２８記載の移動端末であって、前記制御論理は、前記第１および第２の受信機により出力された前記受信信号の前記パラメータが予め定められた信号品質基準よりも低い場合に前記第１および第２の両方の受信機を目覚めさせる移動端末。
【請求項３２】 請求項３１記載の移動端末であって、さらに、前記第１および第２の受信機により出力された前記信号を合成するベースバンド部分を含む移動端末。
【請求項３３】 請求項３２記載の移動端末であって、前記ベースバンド部分は、最大比合成（ＭＲＣ）技術を使用して前記信号を合成する移動端末。
【請求項３４】 請求項３２記載の移動端末であって、前記ベースバンド部分は、同一利得合成（ＥＧＣ）技術を使用して前記信号を合成する移動端末。
【請求項３５】 請求項３２記載の移動端末であって、前記ベースバンド部分は、複数の合成技術の中の１つの技術を使用して前記信号を合成する移動端末。
【請求項３６】 請求項３５記載の移動端末であって、前記制御論理は、許容可能な信号品質を提供可能であり、かつ電力消費が最も少ない合成技術が使用されるように、受信信号品質に基づいて前記複数の合成技術の中の１つの技術を選択する移動端末。 
【手続補正２】
【補正対象書類名】明細書
【補正対象項目名】００１６
【補正方法】変更
【補正の内容】
【００１６】
現在、移動端末は１つのダイバーシチ結合技術を使用するようにしかプログラムされておらず、電力を保持するために必要に応じて、または所望により切り替えることはできない。本発明では、移動端末１０は、必要に応じて単一受信機ダイバーシチモードと二重受信機ダイバーシチ・モード間で切り替えることができる。さらに、二重受信機ダイバーシチ・モードでは移動端末１０は、受信信号の品質に応じて多様な異なるダイバーシチ結合技術間で選択を行うことができる。受信機２４，２６は、電磁波の信号品質を測定して電磁波、したがって、各受信機２４，２６により受信される信号の信号品質を表わす各信号品質指標を発生するように構成される。 
【手続補正３】
【補正対象書類名】明細書
【補正対象項目名】００２０
【補正方法】変更
【補正の内容】
【００２０】
図３は、移動端末１０の動作を示すフロー図である。移動端末１０は、最初にスリープ・モードであると仮定すること、すなわち、両方の受信機２４，２６が非活性化されていることを意味する。スリープ・モード中に、移動端末１０は、目を覚ます時間であるかどうかを周期的にチェックして確認する（ブロック１０５）。そうでなければ、移動端末１０は、スリープ・モードにとどまる。内部タイマが目を覚ます時間であること表示することができる。目を覚ます時間であれば、移動端末１０は、一方または両方の受信機２４，２６を活性化させて制御チャネルを受信する。初期動作モードは、メモリ１４のモード・フラグにより表示される最終使用モードである。制御チャネル受信中に、移動端末１０は、制御チャネルの受信信号に基づいて動作モードを選択する（ブロック１１０）。可能な動作モードには単一受信機モードおよび二重受信機ダイバーシチ・モードが含まれる。
【手続補正４】
【補正対象書類名】明細書
【補正対象項目名】００２５
【補正方法】変更
【補正の内容】
【００２５】
現在指定されている一次受信機に対する信号品質が不十分であれば（ブロック２１５）、移動端末１０は、二次受信機を目覚めさせて（すなわち、ターン・オンして）両方の受信機により制御チャネルを受信する（ブロック２２０）。制御チャネルの受信中に、移動端末１０は、二次受信機の性能だけが所望の受信品質を提供するのに適切なものであるかどうかを確認する（ブロック２２５）。二次受信機が所望の信号品質を提供することができる場合には、移動端末１０は、一次受信機を非活性化し、前の二次受信機が新しい一次受信機として指示される（ブロック２３０）。元の一次受信機（現在スリープ）は、二次受信機として指示される。一次受信機フラグがメモリ１４に設定されて指示の反転を表示する。指示を切り替えた後で、制御チャネルは、新しい一次受信機により受信され（ブロック２３５）制御チャネルは、一方の受信機により移動端末に対して従来のように処理される（ブロック２４）。二次受信機がそれ自身では所望の信号品質を提供できない場合には、移動端末１０は、制御チャネルを両方の受信機により受信して二重受信機ダイバーシチ・モードに切り替わる（ブロック２４５）。受信信号は、次に、ダイバーシチ結合技術を使用して処理される（ブロック２４０）。 
【手続補正５】
【補正対象書類名】明細書
【補正対象項目名】００２６
【補正方法】変更
【補正の内容】
【００２６】
図５に戻って、移動端末が目を覚ます時に最後に使用したモードが二重受信機ダイバーシチ・モードであれば、移動端末１０は、最初に両方の受信機を目覚めさせ（ブロック２５０）、制御チャネルを両方の受信機で受信する（ブロック２５５）。制御チャネルを両方の受信機で受信している間に、移動端末１０は、受信機２４，２６いずれが適切であるかどうかを確認する（ブロック２６０，２７０）。好ましくは、移動端末１０は、一次受信機を最初にチェックする（ブロック２６０）。一次受信機だけが十分である場合には、移動端末１０は、二次受信機を非活性化して二重受信機ダイバーシチ・モードは必要でないことを示すようにモード・フラグを変える（ブロック２６５）。次に、制御チャネルは、一次受信機だけを使用して従来のように受信され処理される（図４のブロック２３５，２４０）。
【手続補正６】
【補正対象書類名】明細書
【補正対象項目名】００２７
【補正方法】変更
【補正の内容】
【００２７】
一次受信機が適切な信号品質を提供しない場合には、移動端末１０は、二次受信機だけが適切であるかどうかを確認する（ブロック２７０）。そうでなければ、移動端末１０は、両方の受信機２４，２６を使用してダイバーシチ・モードで呼を受信し続ける（図４のブロック２４５）。好ましい実施例では、制御チャネルは、ＭＲＣ技術を使用して処理されるが、ＩＲＣ等の他のダイバーシチ結合技術を使用することもできる。
【手続補正７】
【補正対象書類名】明細書
【補正対象項目名】００２８
【補正方法】変更
【補正の内容】
【００２８】
二次受信機が所望の信号品質を提供するのに十分であれば、一次受信機は、非活性化され、移動端末１０は、メモリ１４の一次受信機フラグを変える（ブロック２７５）。元の二次受信機は、新しい一次受信機となり、元の一次受信機（現在、既に眠っている）は、新しい二次受信機となる。移動端末１０は、適切な受信機２４，２６が一次受信機に指示されるように一次受信機フラグを設定する。また、移動端末１０は、両方の受信機が必要でないことを示すようにモード・フラグを変える。次に、移動端末１０は、新しい一次受信機により制御チャネルを従来のように受信し（ブロック２３５、図４）、単一受信機モードで制御チャネルを処理する（ブロック２４０、図４）。
【手続補正８】
【補正対象書類名】明細書
【補正対象項目名】００２９
【補正方法】変更
【補正の内容】
【００２９】
本発明の第２の実施例が図６に示されている。移動端末１０が最後に必要とされた受信機を目覚めさせる図４および図５の方法とは対照的に、第２の実施例は、両方の受信機を慣例的に目覚めさせ、可能であれば一方を非活性化する。これにより制御チャネルがうまく処理される尤度は改善されるが、初期消費電力が大きくなるという犠牲を伴う。特に、移動端末１０は、目を覚ます時間であるかどうかを確認する（ブロック３０５）。そうでなければ、移動端末は、目を覚ます時間となるまで周期的にチェックする。これは内部タイマを使用して達成することができる。目を覚ます時間になると、移動端末１０は、両方の受信機を活性化させ、前記したダイバーシチ結合技術の１つを使用して制御チャネルを受信開始する（ブロック３１０）。両方の受信機で受信している間に、移動端末１０は、一方の受信機だけが適切であるかどうかを同時にテストしている。特に、移動端末１０は、最初に一次受信機だけが適切であるかどうかをチェックする（ブロック３１５）。そうであれば、移動端末１０は、二次受信機を非活性化してモードフラグを変える（ブロック３２０）。次に、移動端末１０は、一次受信機だけで制御チャネルを受信する（ブロック３２５）。制御情報は、従来のように処理され（ブロック３４５）、移動端末１０は、処理完了後スリープに戻る（ブロック３５０）。
【手続補正９】
【補正対象書類名】明細書
【補正対象項目名】００３３
【補正方法】変更
【補正の内容】
【００３３】
前記したプロセスは、一方の受信機を非活性化するか、あるいはＥＧＣまたはＭＲＣへ復帰することにより、消費電力のより少ない技術へ減ずる機会を捜しながら連続的に繰り返される。さらに、変化するパス干渉への適応性が低くなるが、ＥＧＣは、ＭＲＣよりも消費電力が少ないものと信じられ、粗さの低い性能となる。したがって、最初にＥＧＣをダイバーシチ結合技術として使用し、性能が不適切であることを発見したら、処理技術をＭＲＣへ増すことも本発明の範囲内である。ＭＲＣが不適切であることが確認されたら、ＩＲＣが実行される。